(57)【特許請求の範囲】
【請求項１】
装置が通信事業者が提供する音源に基づいて着信端末の状態を分析する方法であって、
着信端末の状態に応じて通信事業者が提供する状態案内音源の特徴情報を保存する段階と、
第１端末への呼接続要請後、前記第１端末の状態に応じて通信事業者が提供する第１音源を受信する段階と、
前記第１音源のビープ／トーンを基準に、前記第１音源から前記状態案内音源のうち少なくとも一つの候補音源の特徴情報に該当する少なくとも一つの分析区間を抽出する段階と、
分析区間別に前記第１音源と前記分析区間に関係する候補音源の一致程度に基づいて前記第１端末の状態を判断する段階と、を含む着信端末の状態分析方法。
【請求項２】
前記特徴情報は、
各状態案内音源のビープ／トーンを基準に、該当状態案内音源の核心音源が存在する位置情報、前記核心音源の長さ情報、および前記核心音源の音声パターンを含む請求項１に記載の着信端末の状態分析方法。
【請求項３】
前記少なくとも一つの分析区間を抽出する段階は、
前記第１音源のビープ／トーンを基準に、前記第１音源から前記候補音源それぞれの核心音源に該当する位置を分析区間として抽出する請求項２に記載の着信端末の状態分析方法。
【請求項４】
前記第１端末の状態を判断する段階は、
前記第１音源から抽出された各分析区間の音源と該当分析区間に関係する候補音源の音声パターンを比較する段階と、
比較結果に基づいて、前記第１音源と前記少なくとも一つの候補音源それぞれの一致度を計算する段階と、
前記少なくとも一つの候補音源それぞれの一致度に基づいて前記第１端末の状態を判断する段階と、を含む請求項２に記載の着信端末の状態分析方法。
【請求項５】
前記少なくとも一つの分析区間を抽出する段階は、
前記状態案内音源の特徴情報に基づいて、前記第１音源から前記状態案内音源それぞれの特徴情報に該当する位置を候補分析区間として抽出する段階と、
第１状態案内音源に関係する第１候補分析区間が黙音区間である場合、前記第１状態案内音源を前記候補音源から除外する段階と、
第２状態案内音源に関係する第２候補分析区間が前記第１音源の開始点より前の場合、前記第２状態案内音源を前記候補音源から除外する段階と、を含む請求項１に記載の着信端末の状態分析方法。
【請求項６】
前記状態案内音源は、
通話中、電源オフ、通話拒否、海外ローミング、欠番のうち少なくとも一つの状態を案内する音源である請求項１に記載の着信端末の状態分析方法。
【請求項７】
装置が通信事業者が提供する受信音源に基づいて着信端末の状態を分析する方法であって、
少なくとも一つの第１状態案内音源の開始点を基準に抽出された前記第１状態案内音源それぞれの特徴情報を保存する段階と、
少なくとも一つの第２状態案内音源のビープ／トーンを基準に抽出された前記第２状態案内音源それぞれの特徴情報を保存する段階と、
着信端末の状態に応じて通信事業者が提供する受信音源の入力を受ける段階と、
前記受信音源の開始点を基準に前記受信音源と前記第１状態案内音源それぞれの特徴情報とを比較して前記受信音源が前記第１状態案内音源のうちいずれか一つに該当するのかを判断する段階と、
前記受信音源が前記第１状態案内音源のうちいずれか一つに該当しない場合、前記受信音源のビープ／トーンを基準に前記受信音源と前記第２状態案内音源それぞれの特徴情報とを比較して前記受信音源が前記第２状態案内音源のうちいずれか一つに該当するのかを判断する段階と、を含む着信端末の状態分析方法。
【請求項８】
前記第２状態案内音源はビープ／トーンを含む音源であり、
前記第１状態案内音源は少なくとも一つの通信事業者が提供する着信端末の状態案内音源のうちビープ／トーンを含まない音源である請求項７に記載の着信端末の状態分析方法。
【請求項９】
前記第１状態案内音源の特徴情報は、
前記第１状態案内音源の開始点を基準に、前記第１状態案内音源の核心音源が存在する位置情報、前記核心音源の長さ情報、および前記核心音源の音声パターンを含む請求項７に記載の着信端末の状態分析方法。
【請求項１０】
前記受信音源が前記第１状態案内音源のうちいずれか一つに該当するのかを判断する段階は、
前記受信音源の開始点を基準に、前記受信音源から前記第１状態案内音源それぞれの特徴情報に該当する分析区間を抽出する段階と、
分析区間別に前記受信音源と該当分析区間に関係する第１状態案内音源の一致程度に基づいて前記着信端末の状態を判断する段階と、を含む請求項９に記載の着信端末の状態分析方法。
【請求項１１】
前記第２状態案内音源の特徴情報は、
前記第２状態案内音源のビープ／トーンを基準に、前記第２状態案内音源の核心音源が存在する位置情報、前記核心音源の長さ情報、および前記核心音源の音声パターンを含む請求項７に記載の着信端末の状態分析方法。
【請求項１２】
前記受信音源が前記第２状態案内音源のうちいずれか一つに該当するのかを判断する段階は、
前記受信音源のビープ／トーンを基準に、前記受信音源から前記第２状態案内音源それぞれの特徴情報に該当する分析区間を抽出する段階と、
分析区間別に前記受信音源と該当分析区間に関係する第２状態案内音源の一致程度に基づいて前記着信端末の状態を判断する段階と、を含む請求項１１に記載の着信端末の状態分析方法。
【請求項１３】
前記第１状態案内音源のうちいずれか一つに該当するのかを判断する段階は、
前記受信音源と前記第１状態案内音源それぞれの特徴情報の一致点数を計算する段階と、
前記第１状態案内音源のうち任意状態案内音源の前記一致点数が基準値以上である場合、前記受信音源が前記任意状態案内音源であると判断する段階と、を含む請求項７に記載の着信端末の状態分析方法。
【請求項１４】
前記第２状態案内音源のうちいずれか一つに該当するのかを判断する段階は、
前記受信音源と前記第２状態案内音源それぞれの特徴情報の一致点数を計算する段階と、
前記第２状態案内音源のうち任意状態案内音源の前記一致点数が基準値以上である場合、前記受信音源が前記任意状態案内音源であると判断する段階と、を含む請求項７に記載の着信端末の状態分析方法。
【請求項１５】
ユーザ端末に搭載され、前記ユーザ端末のプロセッサ、メモリ装置、スピーカおよびディスプレイを含むハードウェアと結合して実行されるプログラムであって、
着信端末への呼接続を要請する段階と、
前記着信端末の状態に応じて通信事業者が提供する受信音源からビープ／トーンを抽出する段階と、
前記受信音源のビープ／トーンを基準に、前記受信音源から複数の状態案内音源のうち少なくとも一つの候補音源の特徴情報に該当する少なくとも一つの分析区間を抽出する段階と、
分析区間別に前記受信音源と該当分析区間に関係する候補音源の一致程度に基づいて前記着信端末の状態を判断する段階と、を行うように実現され、
前記特徴情報は、
各状態案内音源のビープ／トーンを基準に、該当状態案内音源の核心音源が存在する位置情報、前記核心音源の長さ情報、および前記核心音源の音声パターンを含む、プログラム。
【請求項１６】
前記着信端末の状態を判断した結果、前記受信音源が通話中案内音源、電源オフ案内音源、通話拒否案内音源、欠番案内音源、および海外ローミング案内音源のうちいずれか一つであると判断された場合、前記スピーカおよび前記ディスプレイのうち少なくとも一つに前記着信端末が判断された案内音源に該当する状態であることを知らせる段階をさらに行うように実現される請求項１５に記載のプログラム。
【請求項１７】
前記着信端末が通話中状態、電源オフ状態、通話拒否状態、欠番状態、および海外ローミング状態のうちいずれか一つの状態である場合、該当状態に設定された方式に応じて前記着信端末に再発信したり文字メールを送信する段階と、
前記着信端末が無応答状態である場合、前記無応答状態に設定された方式に応じて前記着信端末に再発信したり文字メールを送信する段階と、をさらに行うように実現され、
前記文字メールの内容は状態に応じて異なるように設定される請求項１６に記載のプログラム。
【請求項１８】
前記着信端末への呼接続を要請する段階は、
前記ユーザ端末で任意のアプリケーションが実行中である状態で、前記呼接続を試みる場合、前記呼接続を試みる間の前記任意のアプリケーションを前記スピーカおよび前記ディスプレイのうち少なくとも一つに出力し、
前記呼が接続される場合、前記任意のアプリケーションを終了し、前記スピーカおよび前記ディスプレイのうち少なくとも一つに前記着信端末から受信したデータを出力するように実現される請求項１５に記載のプログラム。
【請求項１９】
前記受信音源からビープ／トーンを抽出する段階は、
前記受信音源からビープ／トーンが検出される前まで前記受信音源の開始点を基準に、前記受信音源で追加状態案内音源それぞれの特徴情報を比較して前記受信音源が前記追加状態案内音源のうちいずれか一つに該当するのかを判断する段階と、
前記受信音源からビープ／トーンが検出されると、前記受信音源が前記追加状態案内音源のうちいずれか一つに該当するのかを判断する段階を中断し、前記受信音源から複数の状態案内音源のうち少なくとも一つの候補音源の特徴情報に該当する少なくとも一つの分析区間を抽出する段階に移る段階と、
前記受信音源からビープ／トーンが検出される前に、前記受信音源が前記追加状態案内音源のうちいずれか一つに該当すると判断された場合、ビープ／トーンが検出を中断し、前記着信端末の状態を出力する段階と、を行うように実現され、
前記受信音源が前記複数の状態案内音源と前記追加状態案内音源のうちいずれか一つに該当しない場合、前記着信端末が無応答状態であると判断する段階と、をさらに行うように実現される請求項１５に記載のプログラム。
【請求項２０】
ユーザ端末に搭載され、前記ユーザ端末のプロセッサ、メモリ装置、スピーカおよびディスプレイを含むハードウェアと結合して実行されるプログラムであって、
着信端末への呼接続を要請する段階と、
前記着信端末の状態に応じて通信事業者が提供する受信音源を分析して前記着信端末の状態を判断する段階と、
前記着信端末の状態を判断した結果、呼が接続されない場合、前記スピーカおよび前記ディスプレイのうち少なくとも一つに前記着信端末の状態を知らせる情報を出力する段階と、を行うように実現され、
前記着信端末の状態を判断する段階は、
前記受信音源の開始点を基準に、前記受信音源から第１状態案内音源のうち少なくとも一つの第１候補音源の特徴情報に該当する少なくとも一つの分析区間を抽出し、分析区間別に前記受信音源と該当分析区間に関係する前記第１候補音源の一致程度に基づいて前記着信端末の状態を判断する段階と、
前記受信音源のビープ／トーンを基準に、前記受信音源から第２状態案内音源のうち少なくとも一つの第２候補音源の特徴情報に該当する少なくとも一つの分析区間を抽出し、分析区間別に前記受信音源と該当分析区間に関係する前記第２候補音源の一致程度に基づいて前記着信端末の状態を判断する段階と、
前記受信音源を分析した結果、前記第１状態案内音源と前記第２状態案内音源とで一致する音源がない場合、前記着信端末の状態を無応答であると判断する段階と、を行うように実現されたプログラム。
【発明の詳細な説明】
【技術分野】
【０００１】
本発明は着信端末の状態分析方法および装置、およびこれを実現したプログラムに関する。
【背景技術】
【０００２】
発信端末が着信端末の電話番号を入力すると、有線電話網または移動通信網が着信端末に呼を要請する。着信端末が呼を受諾すると発信端末と着信端末との間に呼が接続される。仮に、着信端末が通話中であるか、着信端末の電源がオフであるか、或いは着信端末のユーザが通話を拒否する場合、呼は接続されず、代わりに着信端末側の通信事業者が設定した案内音源が発信端末に伝達される。
【０００３】
コールセンターのように多数の相手に電話を発信する会社は効率的な管理のために着信端末に電話をかけ、着信端末が応答すると、相談員が相手と対応するように繋ぐ発信装置を利用する。
【０００４】
従来の発信装置は着信端末の状態を知らせる音源データをフレーム単位でリアルタイムで受信する。この時、従来の発信装置は音源の開始点を検出し、開始点以降の音源データを分析（パターン比較および音声認識）して着信端末の状態を判断する。したがって、従来の発信装置は開始点検出器の性能により分析エラーが影響を受けて、特に初期受信データが損失された場合、実際音源の中間地点を開始点として認識するので、基準音源と受信音源の非同期によって着信端末の状態を正確に分析できない。また、着信者が受信を拒否した場合、着信端末ごとに個別に設定された通話連結音以降に通信事業者の提供音源が出るため、開始点を基準に音源を分析する従来装置は着信端末の通話拒否状態を分析し難い。また、従来装置は受信データに含まれている音声（例えば、通話中）を認識して着信端末の状態を分析するので、音声認識のための計算量が多い。
【発明の概要】
【発明が解決しようとする課題】
【０００５】
本発明が解決しようとする課題は、通信事業者が提供する特定音源（例えば、ビープ／トーン）に基づいて着信端末の状態を分析する方法および装置、およびこれを実現したプログラムを提供することにある。
【課題を解決するための手段】
【０００６】
本発明の着信端末の状態分析方法は、装置が通信事業者が提供する音源に基づいて着信端末の状態を分析する方法であって、着信端末の状態に応じて通信事業者が提供する状態案内音源の特徴情報を保存する段階と、第１端末への呼接続要請後、前記第１端末の状態に応じて通信事業者が提供する第１音源を受信する段階と、前記第１音源のビープ／トーンを基準に、前記第１音源から前記状態案内音源のうち少なくとも一つの候補音源の特徴情報に該当する少なくとも一つの分析区間を抽出する段階と、分析区間別に前記第１音源と前記分析区間に関係する候補音源の一致程度に基づいて前記第１端末の状態を判断する段階と、を含む。
【０００７】
前記特徴情報は、各状態案内音源のビープ／トーンを基準に、該当状態案内音源の核心音源が存在する位置情報、前記核心音源の長さ情報、および前記核心音源の音声パターンを含み得る。
【０００８】
前記少なくとも一つの分析区間を抽出する段階は、前記第１音源のビープ／トーンを基準に、前記第１音源から前記候補音源それぞれの核心音源に該当する位置を分析区間として抽出することができる。
【０００９】
前記第１端末の状態を判断する段階は、前記第１音源から抽出された各分析区間の音源と該当分析区間に関係する候補音源の音声パターンを比較する段階と、比較結果に基づいて、前記第１音源と前記少なくとも一つの候補音源それぞれの一致度を計算する段階と、前記少なくとも一つの候補音源それぞれの一致度に基づいて前記第１端末の状態を判断する段階と、を含み得る。
【００１０】
前記少なくとも一つの分析区間を抽出する段階は、前記状態案内音源の特徴情報に基づいて、前記第１音源から前記状態案内音源それぞれの特徴情報に該当する位置を候補分析区間として抽出する段階と、第１状態案内音源に関係する第１候補分析区間が黙音区間である場合、前記第１状態案内音源を前記候補音源から除外する段階と、第２状態案内音源に関係する第２候補分析区間が前記第１音源の開始点より前の場合、前記第２状態案内音源を前記候補音源から除外する段階と、を含み得る。
【００１１】
前記状態案内音源は、通話中、電源オフ、通話拒否、海外ローミング、欠番のうち少なくとも一つの状態を案内する音源であり得る。
【００１２】
本発明の着信端末の状態分析方法は、装置が通信事業者が提供する受信音源に基づいて着信端末の状態を分析する方法であって、少なくとも一つの第１状態案内音源の開始点を基準に抽出された前記第１状態案内音源それぞれの特徴情報を保存する段階と、少なくとも一つの第２状態案内音源のビープ／トーンを基準に抽出された前記第２状態案内音源それぞれの特徴情報を保存する段階と、着信端末の状態に応じて通信事業者が提供する受信音源の入力を受ける段階と、前記受信音源の開始点を基準に前記受信音源と前記第１状態案内音源それぞれの特徴情報とを比較して前記受信音源が前記第１状態案内音源のうちいずれか一つに該当するのかを判断する段階と、前記受信音源が前記第１状態案内音源のうちいずれか一つに該当しない場合、前記受信音源のビープ／トーンを基準に前記受信音源と前記第２状態案内音源それぞれの特徴情報とを比較して前記受信音源が前記第２状態案内音源のうちいずれか一つに該当するのかを判断する段階と、を含む。
【００１３】
前記第２状態案内音源はビープ／トーンを含む音源であり、前記第１状態案内音源は少なくとも一つの通信事業者が提供する着信端末の状態案内音源のうちビープ／トーンを含まない音源であり得る。
【００１４】
前記第１状態案内音源の特徴情報は、前記第１状態案内音源の開始点を基準に、前記第１状態案内音源の核心音源が存在する位置情報、前記核心音源の長さ情報、および前記核心音源の音声パターンを含み得る。
【００１５】
前記受信音源が前記第１状態案内音源のうちいずれか一つに該当するのかを判断する段階は、前記受信音源の開始点を基準に、前記受信音源から前記第１状態案内音源それぞれの特徴情報に該当する分析区間を抽出する段階と、分析区間別に前記受信音源と該当分析区間に関係する第１状態案内音源の一致程度に基づいて前記着信端末の状態を判断する段階と、を含み得る。
【００１６】
前記第２状態案内音源の特徴情報は、前記第２状態案内音源のビープ／トーンを基準に、前記第２状態案内音源の核心音源が存在する位置情報、前記核心音源の長さ情報、および前記核心音源の音声パターンを含み得る。
【００１７】
前記受信音源が前記第２状態案内音源のうちいずれか一つに該当するのかを判断する段階は、前記受信音源のビープ／トーンを基準に、前記受信音源から前記第２状態案内音源それぞれの特徴情報に該当する分析区間を抽出する段階と、分析区間別に前記受信音源と該当分析区間に関係する第２状態案内音源の一致程度に基づいて前記着信端末の状態を判断する段階と、を含み得る。
【００１８】
前記第１状態案内音源のうちいずれか一つに該当するのかを判断する段階は、前記受信音源と前記第１状態案内音源それぞれの特徴情報の一致点数を計算する段階と、前記第１状態案内音源のうち任意状態案内音源の前記一致点数が基準値以上である場合、前記受信音源が前記任意状態案内音源であると判断する段階と、を含み得る。
【００１９】
前記第２状態案内音源のうちいずれか一つに該当するのかを判断する段階は、前記受信音源と前記第２状態案内音源それぞれの特徴情報の一致点数を計算する段階と、前記第２状態案内音源のうち任意状態案内音源の前記一致点数が基準値以上である場合、前記受信音源が前記任意状態案内音源であると判断する段階と、を含み得る。
【００２０】
本発明のプログラムは、ユーザ端末に搭載され、前記ユーザ端末のプロセッサ、メモリ装置、スピーカおよびディスプレイを含むハードウェアと結合して実行されるプログラムであって、着信端末への呼接続を要請する段階と、前記着信端末の状態に応じて通信事業者が提供する受信音源からビープ／トーンを抽出する段階と、前記受信音源のビープ／トーンを基準に、前記受信音源から複数の状態案内音源のうち少なくとも一つの候補音源の特徴情報に該当する少なくとも一つの分析区間を抽出する段階と、分析区間別に前記受信音源と該当分析区間に関係する候補音源の一致程度に基づいて前記着信端末の状態を判断する段階と、を行うように実現され、前記特徴情報は、各状態案内音源のビープ／トーンを基準に、該当状態案内音源の核心音源が存在する位置情報、前記核心音源の長さ情報、および前記核心音源の音声パターンを含み得る。
【００２１】
前記着信端末の状態を判断した結果、前記受信音源が通話中案内音源、電源オフ案内音源、通話拒否案内音源、欠番案内音源、および海外ローミング案内音源のうちいずれか一つであると判断された場合、前記スピーカおよび前記ディスプレイのうち少なくとも一つに前記着信端末が判断された案内音源に該当する状態であることを知らせる段階をさらに行うように実現され得る。
【００２２】
前記着信端末が通話中状態、電源オフ状態、通話拒否状態、欠番状態、および海外ローミング状態のうちいずれか一つの状態である場合、該当状態に設定された方式に応じて前記着信端末に再発信したり文字メールを送信する段階と、前記着信端末が無応答状態である場合、前記無応答状態に設定された方式に応じて前記着信端末に再発信したり文字メールを送信する段階と、をさらに行うように実現され、前記文字メールの内容は状態に応じて異なるように設定され得る。
【００２３】
前記着信端末への呼接続を要請する段階は、前記ユーザ端末で任意のアプリケーションが実行中である状態で、前記呼接続を試みる場合、前記呼接続を試みる間の前記任意のアプリケーションを前記スピーカおよび前記ディスプレイのうち少なくとも一つに出力し、前記呼が接続される場合、前記任意のアプリケーションを終了し、前記スピーカおよび前記ディスプレイのうち少なくとも一つに前記着信端末から受信したデータを出力するように実現され得る。
【００２４】
前記受信音源からビープ／トーンを抽出する段階は、前記受信音源からビープ／トーンが検出される前まで前記受信音源の開始点を基準に、前記受信音源で追加状態案内音源それぞれの特徴情報を比較して前記受信音源が前記追加状態案内音源のうちいずれか一つに該当するのかを判断する段階と、前記受信音源からビープ／トーンが検出されると、前記受信音源が前記追加状態案内音源のうちいずれか一つに該当するのかを判断する段階を中断し、前記受信音源から複数の状態案内音源のうち少なくとも一つの候補音源の特徴情報に該当する少なくとも一つの分析区間を抽出する段階に移る段階と、前記受信音源からビープ／トーンが検出される前に、前記受信音源が前記追加状態案内音源のうちいずれか一つに該当すると判断された場合、ビープ／トーンが検出を中断し、前記着信端末の状態を出力する段階と、を行うように実現され、前記受信音源が前記複数の状態案内音源と前記追加状態案内音源のうちいずれか一つに該当しない場合、前記着信端末が無応答状態であると判断する段階と、をさらに行うように実現され得る。
【００２５】
本発明のプログラムは、ユーザ端末に搭載され、前記ユーザ端末のプロセッサ、メモリ装置、スピーカおよびディスプレイを含むハードウェアと結合して実行されるプログラムであって、着信端末への呼接続を要請する段階と、前記着信端末の状態に応じて通信事業者が提供する受信音源を分析して前記着信端末の状態を判断する段階と、前記着信端末の状態を判断した結果、呼が接続されない場合、前記スピーカおよび前記ディスプレイのうち少なくとも一つに前記着信端末の状態を知らせる情報を出力する段階と、を行うように実現される。
【００２６】
前記着信端末の状態それぞれに設定された方式に応じて前記着信端末に再発信したり文字メールを送信する段階をさらに行うように実現され、前記着信端末の状態は、通話中状態、電源オフ状態、通話拒否状態、欠番状態、および海外ローミング状態のうちいずれか一つの状態であり得る。
【００２７】
前記着信端末の状態を判断する段階は、前記受信音源の開始点を基準に、前記受信音源から第１状態案内音源のうち少なくとも一つの第１候補音源の特徴情報に該当する少なくとも一つの分析区間を抽出し、分析区間別に前記受信音源と該当分析区間に関係する前記第１候補音源の一致程度に基づいて、前記着信端末の状態を判断する段階と、前記受信音源のビープ／トーンを基準に、前記受信音源から第２状態案内音源のうち少なくとも一つの第２候補音源の特徴情報に該当する少なくとも一つの分析区間を抽出し、分析区間別に前記受信音源と該当分析区間に関係する前記第２候補音源の一致程度に基づいて、前記着信端末の状態を判断する段階と、前記受信音源を分析した結果、前記第１状態案内音源と前記第２状態案内音源とで一致する音源がない場合、前記着信端末の状態を無応答であると判断する段階と、を行うように実現され得る。
【発明の効果】
【００２８】
本発明によれば、少ない計算量で多様な着信端末の状態をエラーなしに検出することができる。本発明によれば、通信事業者が状態案内音源を変更したのかを判断することができる。
【００２９】
本発明によれば、ユーザが着信端末との通話連結の待機時間を減らすことができ、通話が繋がらず、無駄な消耗時間をなくすことができる。本発明によれば、ユーザはユーザ端末を用いてコンテンツやアプリケーションを実行中の状態で呼接続を試みても、呼が接続される時まで実行中のコンテンツやアプリケーションを終了する必要ない。本発明によれば、分析装置またはユーザ端末が着信端末の状態を分析し、着信端末の状態に合わせて再度呼を試みるか、ＳＭＳを送信することができるため、ユーザの便宜性を高めることができる。
【図面の簡単な説明】
【００３０】
【図１】本発明の一実施形態による着信端末の状態を分析する方法のフローチャートである。
【図２】本発明の一実施形態による音源の特徴情報抽出方法を説明する図である。
【図３】本発明の一実施形態による着信端末の状態を分析する方法を説明する図である。
【図４】本発明の一実施形態による着信端末の通話拒否状態を分析する方法を例示的に説明する図である。
【図５】本発明の一実施形態による着信端末の通話拒否状態を分析する方法を例示的に説明する図である。
【図６】本発明の一実施形態による分析区間抽出方法を説明する図である。
【図７】本発明の一実施形態による受信音源の長さを検出する方法を説明する図である。
【図８】本発明の一実施形態による黙音区間を検出する方法を説明する図である。
【図９】本発明の一実施形態に他の着信端末の状態分析結果の例示である。
【図１０】本発明の一実施形態による音源情報保存部を説明する図である。
【図１１】本発明の他の実施形態による着信端末の状態を分析する方法のフローチャートである。
【図１２】本発明の一実施形態による状態案内音源情報を更新する方法のフローチャートである。
【図１３】本発明の一実施形態による着信端末の状態分析装置の構成図を示す図である。
【図１４】本発明の一実施形態によるユーザ端末のブロック図を示す図である。
【発明を実施するための形態】
【００３１】
以下、添付した図面を参照して本発明の実施形態について本発明が属する技術分野で通常の知識を有する者が容易に実施できるように詳しく説明する。しかし、本発明は、様々な相違する形態に実現され得、ここで説明する実施形態に限られない。また、図面で本発明を明確に説明するために説明上不要な部分は省略し、明細書全体にかけて類似の部分は類似の図面符号を付した。
【００３２】
明細書全体において、ある部分がある構成要素を「含む」とするとする時、これは特に反対になる記載がない限り、他の構成要素を除くことでなく、他の構成要素をさらに含み得ること意味する。
【００３３】
図１は本発明の一実施形態による着信端末の状態を分析する方法のフローチャートであり、図２は本発明の一実施形態による音源の特徴情報抽出方法を説明する図面であり、図３は本発明の一実施形態による着信端末の状態を分析する方法を説明する図面であり、図４と図５それぞれは本発明の一実施形態による着信端末の通話拒否状態を分析する方法を例示的に説明する図である。
【００３４】
図１を参照すると、着信端末の状態分析装置（以下、「分析装置」という）１００は、着信端末の状態に応じて通信事業者が提供する状態案内音源の特徴情報を保存する（Ｓ１１０）。例えば、表１のように、着信端末への呼接続要請後、着信端末が通話中である場合、着信端末が電源オフである場合、または着信端末が通話を拒否する場合など着信端末の状態に応じて通信事業者ごとに他の音源を提供する。
【００３５】
【表１】
0006461371.tif 000002
【００３６】
分析装置１００は音源に含まれているビープ（ＢＥＥＦ）／トーン（Ｔｏｎｅ）を基準に各状態案内音源の特徴情報を抽出する。図２を参照すると、分析装置１００はビープ／トーンを含む音源からビープ／トーンを抽出し、ビープ／トーンを基準に状態案内音源の核心音源が存在する位置情報（Ｐ）、核心音源の長さ情報（Ｗ）、および核心音源の音声パターン（ＰＴ）を特徴情報として保存し得る。例えば、Ｓ社の加入者である着信端末が通話中である場合、分析装置１００は「顧客が通話中のため、ピーッという発信音の後、録音することができ、通話料がかかります。ビープ（ＢＥＥＰ）音」を受信し得る。分析装置１００は図２のように、ビープから核心音源（例えば、「通話中」に該当する音源）が存在する位置情報（Ｐ）、核心音源の長さ情報（Ｗ）、および核心音源の音声パターン（ＰＴ）をＳ社の通話中案内音源の特徴情報として保存し得る。核心音源は音源ごとに多様に設定し得る。
【００３７】
分析装置１００は着信端末への呼接続要請後、着信端末の状態に応じて通信事業者が提供する音源を受信する（Ｓ１２０）。
【００３８】
分析装置１００は受信音源からビープ／トーンを検出する（Ｓ１３０）。
【００３９】
分析装置１００は受信音源のビープ／トーンを基準に、受信音源から状態案内音源それぞれの核心音源が存在する位置を分析区間として抽出する（Ｓ１４０）。例えば、分析装置１００が図３のような音源を受信した場合、分析装置１００は受信音源から、少なくとも一つの状態案内音源（Ｓ１〜Ｓ９）の核心音源が存在する分析区間（例えば、１１、１２、１３、１４、１５）を抽出する。ここで、状態案内音源（Ｓ１〜Ｓ９）のうち少なくとも一つの音源が候補音源である。例えば、状態案内音源（Ｓ１）の核心音源はビープからＰ１の位置にあり、核心音源の長さはＷ１であり、核心音源の音声パターンはＰＴ１である場合、分析装置１００は受信音源のビープからＰ１の位置にある区間（Ｗ１）を状態案内音源（Ｓ１）に対応する分析区間１１として抽出する。
【００４０】
分析装置１００は分析区間別に受信音源と該当分析区間に関係する核心音源のパターンの一致程度を計算する（Ｓ１５０）。二つの音源が一致するのかを判断する方法は多様であり得、ここでは、音源のパターンを比較することについて説明する。例えば、分析区間１１は、状態案内音源（Ｓ１）の核心音源に対応する区間であるため、分析装置１００は分析区間１１の受信音源と状態案内音源（Ｓ１）の核心音源のパターンを比較する。仮に、分析区間１２が状態案内音源（Ｓ２）の核心音源に対応する区間であれば、分析装置１００は分析区間１２の受信音源と状態案内音源（Ｓ２）の核心音源のパターンを比較する。つまり、受信音源がＳ社の通話中案内音源であれば、分析区間１１に状態案内音源（Ｓ１）の核心音源があり、Ｓ社の通話中案内音源ではない場合、分析区間１１に状態案内音源（Ｓ１）の核心音源がないだろう。
【００４１】
分析装置１００は分析区間別パターンの一致程度に基づいて着信端末の状態を判断する（Ｓ１６０）。つまり、受信音源がＳ社の通話中案内音源であれば、通話中案内音源（Ｓ１）の核心音源（例えば、「通話中」）は分析区間１１に存在して、分析区間１２には電源オフ案内音源（Ｓ２）の核心音源（例えば、「電源オフ」）と他の音源が存在するであろう。したがって、他の分析区間に比べて分析区間１１で受信音源と核心音源のパターン一致度が高い場合、分析装置１００はＳ社加入者である着信端末が通話中状態であると判断する。
【００４２】
このように、分析装置１００は音源の開始点から音声認識をしたり、音源の開始点で一定の距離に位置した核心音源を探すのではなく、ビープ／トーンからさかのぼり核心音源を探す。したがって、分析装置１００は開始点検出器の性能に関係なく音源を区分することができ、初期受信データが損失されたり、状態案内音源の前の部分に音源が追加されても着信端末の状態を正確に分析することができる。
【００４３】
図４はＬ社の通話拒否状態（Ｓ９）の音源の例示である。呼接続要請中である場合、通話連結音が一定時間流れてからユーザが通話を拒否すると、通話拒否状態の案内音声である「お客様が電話に出ることができないので、ピーッという発信音の後、留守番電話サービスにお繋ぎします。接続された後は通話料が掛かります。」が一定時間流れてからビープが出る。開始点を基準に音源のパターンを分析する従来装置は、着信端末ごとに多様に設定された通話連結音以降に通話拒否状態案内音声が出るので、通話連結音を含む全体音源を全て分析して「お客様が電話に出ることができないので、」のような音声を認識しない限り、着信端末ごとに多様に設定された通話連結音以降の通話拒否状態案内音声を認識し難い。
【００４４】
分析装置１００はこのような限界を解決するために、受信音源からビープを探し、核心音源のビープからの位置および長さ情報に基づいて、ビープから一定の距離を離れた分析区間（例えば、２１−２６）を抽出する。また、分析装置１００は分析区間の音源に対応する候補音源のパターンを比較する。Ｌ社の通話拒否状態（Ｓ９）の音源で核心音源は通話連結音と関係なく、ビープ音から一定の距離離れた区間に存在するので、分析装置１００は着信端末が通話拒否状態であることが分かる。
【００４５】
図５はＫ社の通話拒否状態（Ｓ６）の音源例示である。呼接続要請中である場合、通話連結音が一定時間流れてから、ユーザが通話を拒否すると、通話拒否状態の案内音声である「おかけになった電話をお呼びしましたがお出になりません。しばらくたってからお掛け直し下さい。Ｔｈｅｒｅ  ｉｓ  ｎｏ  ａｎｓｗｅｒ，  ｐｌｅａｓｅ  ｔｒｙ  ｔｏ  ｃａｌｌ  ａｇａｉｎ  ｌａｔｅｒ」が一定時間流れてからトーンが出る。
【００４６】
分析装置１００は受信音源からトーンを探し、トーンから一定の距離離れた分析区間の音源、およびこの分析区間に対応する候補音源のパターンを比較する。この時、Ｋ社の通話拒否状態（Ｓ６）は他の状態とは違いトーンを含む。したがって、分析装置１００は、トーンを含む状態案内音源（例えば、Ｋ社の通話拒否案内音源）の特徴情報３１のみを利用して受信音源を分析することができる。
【００４７】
図６は本発明の一実施形態による分析区間の抽出方法を説明する図である。
【００４８】
図６を参照すると、分析装置１００は受信音源のビープ／トーンを基準に、受信音源から状態情報音源の核心音源に該当する分析区間らを抽出する。この時、分析装置１００はすべての状態案内音源（Ｓ１〜Ｓ９）を候補音源として判断してパターン分析を行うのではなく、受信音源の情報に基づいて候補音源を選別し得る。
【００４９】
例えば、状態案内音源（Ｓ７）の核心音源は、ビープからＰ７だけ離れた地点でＷ７だけの長さで存在すると仮定する。しかし、受信音源のビープからＰ７だけ離れた地点が黙音である場合、分析装置１００は状態案内音源（Ｓ７）の核心音源のパターンと黙音区間を比較する必要ない。したがって、分析装置１００は状態案内音源（Ｓ７）を候補音源から除外する。
【００５０】
仮に、状態案内音源（Ｓ８）の核心音源はビープからＰ８だけ離れた地点でＷ８だけの長さで存在すると仮定する。しかし、受信音源のビープからＰ８だけ離れた地点が受信音源の開始点より前の地点である場合、比較する受信音源がない。したがって、分析装置１００は状態案内音源（Ｓ８）を候補音源から除外する。
【００５１】
このように、分析装置１００は、分析区間が黙音区間であるのか、或いは分析区間が音源受信前であるのか、または受信音源がビープを含むのか、トーンを含むのかを判断して状態案内音源の候補を減らして結果的に計算量を減らすことができる。
【００５２】
図７は本発明の一実施形態による受信音源の長さを検出する方法を説明する図であり、図８は本発明の一実施形態による黙音区間を検出する方法を説明する図である。
【００５３】
図７を参照すると、分析装置１００は受信音源ごとに開始点とビープ／トーンを抽出し、ビープ／トーンから音源の開始点までの長さを計算する。分析装置１００は、音源の長さを該当状態案内音源の特徴情報として保存し得る。
【００５４】
分析装置１００は、受信音源を分析して開始点とビープを感知して受信音源の長さを計算する。分析装置１００は多数の通信事業者が提供する複数の状態案内音源の長さと受信音源の長さを比較して着信端末の状態を決定し得る。状態案内音源の長さが、差がある場合、分析装置１００は音源長さ情報を比較して着信端末の状態を簡単に判断することができる。
【００５５】
図８を参照すると、分析装置１００は、受信音源ごとにビープ／トーンを抽出し、ビープ／トーンから少なくとも一つの黙音が存在する位置情報、および黙音の長さ情報を該当状態案内音源の特徴情報として保存し得る。
【００５６】
分析装置１００は、状態案内音源と受信音源の長さおよび黙音区間情報を比較して着信端末の状態を判断し得る。
【００５７】
図９は、本発明の一実施形態に他の着信端末の状態分析結果の例示である。
【００５８】
図９を参照すると、分析装置１００は、状態案内音源（例えば、Ｓ１−Ｓ９）の特徴情報に基づいて着信端末の状態を分析する。特徴情報は、ビープ／トーンから状態案内音源の核心音源が存在する位置情報、核心音源の長さ情報、核心音源の音声パターン、状態案内音源の長さ、状態案内音源の黙音区間情報を利用し得る。
【００５９】
分析装置１００は、候補音源それぞれの特徴情報（核心音源が存在する位置および区間）に基づいて受信音源から各状態案内音源の核心音声が存在する分析区間を抽出する。分析装置１００は、各分析区間から抽出された音源と該当分析区間に関係する候補音源のパターンの一致程度を点数として出力し得る。点数が高いほど受信音源の分析区間に候補音源のパターンが存在する可能性が高い。
【００６０】
例えば、ＫＴＢＵＳＹ状態案内音源（例えば、ＫＴ着信端末が通話中である場合に受信される音源）と受信音源のパターンの一致点数が最も高い場合、分析装置１００は、ＫＴ加入者である着信端末は通話中であると検出（ＫＴＭｏｂｉｌｅ  ＢＵＳＹ  ＤＥＴＥＣＴ）とする。
【００６１】
分析装置１００は受信音源のビープ／トーンを基準に、受信音源である状態案内音源の核心音源に該当する分析区間を抽出するが、この分析区間が黙音区間であり得る。そうすると、分析装置１００はこの分析区間に対するパターンが一致するかどうかを判断する必要がない。その代わりに、分析装置１００は、このような案内音源（ＳＫＢＵＳＹ／ＬＧＢＵＳＹ／ＫＴＯＦＦ）を候補音源から除外し、これら状態案内音源（ＳＫＢＵＳＹ／ＬＧＢＵＳＹ／ＫＴＯＦＦ）の核心音源に該当する分析区間は黙音区間であることを示す情報（例えば、−１Ｓ）を出力し得る。
【００６２】
分析装置１００は受信音源のビープ／トーンを基準に、受信音源からある状態案内音源の核心音源に該当する分析区間を抽出するが、この分析区間が受信音源の開始点より前の地点であり得る。そうすると、分析装置１００はこの分析区間に対するパターンが一致するかどうかを判断する必要がない。その代わりに、分析装置１００は、このような状態案内音源（ＫＴＲＥＪ）を候補音源から除外し、受信音源でこの状態案内音源（ＫＴＲＥＪ）の核心音源に該当する分析区間は、通話開始点の境界を外れた場合であることを示す情報（例えば、−１Ｆ）を出力し得る。
【００６３】
図１０は、本発明の一実施形態による音源情報保存部を説明する図面であり、図１１は、本発明の他の実施形態による着信端末の状態を分析する方法のフローチャートである。
【００６４】
まず、図１０を参照すると、状態案内音源は通信事業者が多様に設定することができる。通話中／電源オフ／通話拒否の場合の状態案内音源はビープ／トーンを含む。しかし、例えば、着信端末が欠番であるか、海外ローミングである場合のように着信端末が応答できない状態であるが、欠番／海外ローミングの案内音源はビープ／トーンを含まなくてもよい。
【００６５】
したがって、着信端末の多様な状態をくまなく分析するため、分析装置１００は受信音源のビープ／トーンを基準に状態案内音源の核心音源に該当する分析区間を抽出するだけでなく、受信音源の開始点を基準に状態案内音源の核心音源に該当する分析区間を抽出し得る。
【００６６】
これのために、音源情報保存部１１０は、ビープ／トーンからの音源情報保存部１１２、および開始点からの音源情報保存部１１４を含む。
【００６７】
ビープ／トーンからの音源情報保存部１１２は、状態案内音源別に、ビープ／トーンから核心音源が存在する位置情報、核心音源の長さ情報、および核心音源の音声パターンを特徴情報として保存する。ビープ／トーンからの音源情報保存部１１２は、状態案内音源別に、開始点からビープ／トーンまでの長さ（音源長さ）、およびビープ／トーンから黙音区間情報をさらに保存し得る。
【００６８】
開始点からの音源情報保存部１１４は、状態案内音源別に、開始点から核心音源が存在する位置情報、核心音源の長さ情報、および核心音源の音声パターンを特徴情報として保存する。特に、開始点からの音源情報保存部１１４は、欠番案内音源や海外ローミング案内音源の特徴情報を保存し得る。
【００６９】
図１１を参照すると、分析装置１００は、音源情報保存部に保存された状態案内音源の特徴情報と受信音源を比較して着信端末の状態を検出する。
【００７０】
分析装置１００は着信端末の状態を案内する音源を受信する（Ｓ２１０）。
【００７１】
分析装置１００は受信音源の開始点を検出する（Ｓ２２０）。
【００７２】
分析装置１００は開始点を基準に、受信音源から１次候補音源の核心音源が存在する位置の分析区間を抽出する（Ｓ２３０）。ここで、１次候補音源は、ビープ／トーンを含まない状態案内音源であり得、例えば、欠番案内音源や海外ローミング案内音源であり得るが、通信事業者の案内方式に応じて１次候補音源リストは変更され得る。
【００７３】
分析装置１００は分析区間別に受信音源と該当分析区間に関係する１次候補音源を比較して基準値以上に一致するのかを判断する（Ｓ２４０）。
【００７４】
基準値以上に一致する場合、分析装置１００は一致した候補音源に基づいて着信端末の状態を判断する（Ｓ２４２）。例えば、欠番案内音源との一致度が高ければ、分析装置１００は着信端末の電話番号が欠番であると判断する。
【００７５】
基準値以上に一致しない場合、分析装置１００はビープ／トーンを検出する（Ｓ２５０）。仮に、ビープ／トーンが検出されなければ、分析装置１００は通話待機状態であると判断する。
【００７６】
分析装置１００はビープ／トーンを基準に、受信音源から２次候補音源の核心音源が存在する位置の分析区間を抽出する（Ｓ２６０）。ここで、２次候補音源はビープ／トーンを含む状態案内音源として、例えば、通話中、電源オフ、通話拒否などの状態案内音源であり得るが、通信事業者の案内方式に応じて２次候補音源リストは変更され得る。
【００７７】
分析装置１００は、分析区間別に受信音源と該当分析区間に関係する２次候補音源を比較して基準値以上に一致する候補音源を抽出する（Ｓ２７０）。または分析装置１００は、２次候補音源のうちパターンの一致点数が最も高い候補音源を抽出し得る。
【００７８】
候補音源が抽出される場合、分析装置１００は抽出した候補音源に基づいて着信端末の状態を判断する（Ｓ２７２）。例えば、通話中案内音源との一致度が高い場合、分析装置１００は着信端末が現在通話中であると判断する。
【００７９】
候補音源が抽出されない場合、分析装置１００は通話待機状態であると判断する（Ｓ２８０）。つまり、受信音源は２次候補音源の核心音源と一致する音源を含まないので、分析装置１００は着信端末が応答しない通話待機状態であると判断して通話連結を待ち得る。
【００８０】
このように、分析装置１００は音源情報保存部に保存された状態案内音源の特徴情報と受信音源を比較して着信端末の状態を検出するが、１次候補音源を判断する前にビープ／トーンが検出され得る。したがって、分析装置１００は受信音源の開始点を検出し、ビープ／トーンが検出されるのかを待機する。この時、ビープ／トーン検出の可否を待つ間、分析装置１００は開始点を基準に、受信音源から１次候補音源の核心音源が存在する位置の分析区間を抽出し、分析区間別に受信音源と該当分析区間に関係する１次候補音源を比較して基準値以上に一致するのかを判断する。
【００８１】
仮に、ビープ／トーンが検出される前に、受信音源が１次候補音源であると判断されると、分析装置１００はビープ／トーン検出を中断する。仮に、受信音源が１次候補音源であるのかを判断する途中、ビープ／トーンが検出されると、分析装置１００は受信音源が１次候補音であるのかを判断する過程を中断し、受信音源が２次候補音源であるのかを判断する過程に移る。
【００８２】
図１２は、本発明の一実施形態による状態案内音源情報を更新する方法のフローチャートである。
【００８３】
図１２を参照すると、着信端末の状態案内音源は通信事業者が自由に変更することができる。仮に、着信端末の状態案内音源が変更されたことを知らずに音源情報保存部を更新できない場合、分析装置１００は着信端末の状態を正確に検出し難い。つまり、分析装置１００は、ビープ／トーンを基準に逆にさかのぼり、核心音源の位置を探すので、初期案内音声またはシグナル音楽が追加されたり交替されても性能に影響はない。しかし、状態案内音源が変更されたり発声者が交替されるなどの全体的な変更がある時、誤認識が発生する。
【００８４】
分析装置１００は状態案内音源の特徴情報と受信音源の比較結果値を管理する（Ｓ３１０）。分析装置１００は受信音源ごとに計算された状態案内音源のパターンの一致点数を保存し、複数の受信音源に基づいて通信事業者別に音源分析結果を管理し得る。ここで、別途のモニタリング装置が音源情報保存部１１０に保存された状態案内音源の特徴情報と受信音源の比較結果値を管理し得る。
【００８５】
分析装置１００は、比較結果値の変化有無に基づいて状態案内音源の変更の可否を判断する（Ｓ３２０）。例えば、Ｋ社の通話中案内音源（Ｓ４）が変更されると、Ｋ社の着信端末が通話中であるにもかかわらず、受信音源と一致するパターンがないため、パターンの一致点数が以前と異なって出る。つまり、図９を参照すると、以前には着信端末がＫＴＢＵＳＹ状態である場合、ＫＴＢＵＳＹ状態案内音源が一致音源として抽出され、パターンの一致点数が普通７６点前後で計算されるが、ある時点にＫＴＢＵＳＹ状態のパターンの一致点数が大きい偏差を示したり、多様な状態案内音源の中からＫＴＢＵＳＹ状態を検出できないこともある。そうすると、分析装置１００はＫＴＢＵＳＹ状態案内音源が変更されたと判断する。
【００８６】
ある状態案内音源が変更された場合、分析装置１００は該当状態案内音源の変更を知らせる（Ｓ３３０）。
【００８７】
分析装置１００は変更された状態案内音源の特徴情報を音源情報保存部１１０に保存する（Ｓ３４０）。
【００８８】
このように、分析装置１００は受信音源別に状態案内音源とのパターンの一致点数をモニタリングして特定状態案内音源の計算結果に変化があることを感知する。そして、分析装置１００は変更された状態案内音源をユーザに報告し得る。ユーザは変更された状態案内音源を確認した後、特徴情報を更新して音源情報保存部１１０に保存する。または分析装置１００は変更された状態案内音源の入力を受け、変更された状態案内音源から核心音源（例えば、「通話中」）を抽出し、ビープ／トーンを基準に特徴情報を抽出し得る。
【００８９】
分析装置１００は、状態案内音源の特徴情報と受信音源の比較結果値を分析して音源変更を迅速に認知することができ、性能低下の空白を最小化することができる。
【００９０】
ここでは、分析装置１００が状態案内音源の変更の可否をモニタリングするモニタリング部を含むものとして説明したが、モニタリング部は別途の装置として実現されることができる。別途に実現されたモニタリング部は複数の分析装置（ユーザ端末含む）から状態案内音源の特徴情報と受信音源の比較結果値を受信して管理し、複数の分析装置に状態案内音源の変更に関する情報や制御信号を伝送し得る。
【００９１】
図１３は、本発明の一実施形態による着信端末の状態分析装置の構成図を示す図面であり、図１４は、本発明の一実施形態によるユーザ端末のブロック図を示す図である。
【００９２】
まず、図１３を参照すると、分析装置１００は図１から図１２を参照して説明した着信端末の状態分析方法を実現するために音源情報保存部１１０、受信音源分析部１３０、および着信端末状態出力部１５０を含む。分析装置１００はモニタリング部１７０をさらに含み得る。分析装置１００は呼接続処理部１９０をさらに含み得る。
【００９３】
音源情報保存部１１０は状態案内音源の特徴情報を保存する。音源情報保存部１１０はビープ／トーンからの音源情報保存部１１２および開始点からの音源情報保存部１１４を含み得る。
【００９４】
受信音源分析部１３０は、音源情報保存部１１０に保存された各状態案内音源の特徴情報と受信音源とを比較して受信音源と一致する状態案内音源を抽出する。受信音源分析部１３０は開始点を基準に、受信音源から１次候補音源の核心音源が存在する位置の分析区間を抽出し、分析区間別に受信音源と該当分析区間に関係する１次候補音源を比較して基準値以上に一致するのかを判断し得る。受信音源分析部１３０は、受信音源からビープ／トーンを検出し、ビープ／トーンを基準に、受信音源から２次候補音源の核心音源が存在する位置の分析区間を抽出し得る。受信音源分析部１３０は、分析区間別に受信音源と該当分析区間に関係する２次候補音源を比較して基準値以上に一致する候補音源を抽出し得る。
【００９５】
着信端末状態出力部１５０は、受信音源分析部１３０の分析結果に基づいて着信端末の状態を出力する。
【００９６】
モニタリング部１７０は、状態案内音源の特徴情報と受信音源の比較結果値を管理し、比較結果値の分布に基づいて状態案内音源の変更の可否を判断する。モニタリング部１７０は状態案内音源の変更を知らせ得る。変更された状態案内音源の特徴情報は音源情報保存部１１０に保存される。
【００９７】
呼接続処理部１９０は、少なくとも一つの着信端末に呼を発信し得る。呼接続処理部１９０は、着信端末状態出力部１５０の結果に基づいて、呼が接続され難い状況である場合、呼の試みを終了する。呼接続処理部１９０は着信端末が応答する場合、呼を接続する。呼接続処理部１９０は、着信端末状態出力部１５０の結果に基づいて設定された方式に応じて着信端末に再発信したり文字メールを送信し得る。
【００９８】
このような分析装置１００は多チャンネル発信装置に含まれ得る。多チャンネル発信装置は多数の着信端末に呼を発信する装置であって、例えばコールセンターシステムに用いることができる。
【００９９】
多チャンネル発信をする分析装置１００は複数の着信端末に呼を発信する。分析装置１００は、複数の着信端末それぞれから受信した状態案内音声を分析し、呼が接続され難い状況である場合、相談員に呼を接続せず、呼接続を中断する。分析装置１００は呼が接続されると（相手が応答すると）相談員に接続された呼を伝達する。これによって、相談員が呼接続を待つ時間を減らすことができる。
【０１００】
ある着信端末から受信した状態案内音声を分析した結果、通話中であるか、電源オフ状態である場合、分析装置１００は一定時間後、該当着信端末に再発信し得る。ある着信端末から受信した状態案内音声を分析した結果、欠番である場合、分析装置１００は該当着信端末が欠番であることを保存して報告し得る。
【０１０１】
図１４を参照すると、ユーザはユーザ端末を介して情報検索、音楽聴取、ナビゲーションなど多様なコンテントを利用することができる。しかし、ユーザが通話をするためには音楽聴取などの作業を中止して通話関連の手続を行う。したがって、ユーザは相手が受信する時まで通話連結音を聞きながら待機するか、或いは通信事業者が提供する案内音源を聞いてから相手と通話が不可能であることが分かる。また相手が通話中、電源オフ、無応答などで通話出来なかった場合、ユーザは一定時間後に、再度通話を試みるか、ＳＭＳを送信するなどの作業遂行を繰り返して行う不便さがある。
【０１０２】
このような不便さを解消するため、着信端末の状態分析方法はソフトウェアまたは別途のハードウェアの形態でユーザ端末に含まれ得る。ユーザ端末はスマートフォンやスマートパッドのように通信機能が内蔵された携帯端末であるか、ナビゲ−ションのような車両情報処理装置であり得る。
【０１０３】
ユーザ端末２００は、プロセッサ２１０、メモリ装置２２０、保存装置２３０、ディスプレイ２４０、通信装置２５０、およびスピーカ／マイク２６０等を含むハードウェアで構成され、指定された場所にハードウェアと結合されて実行されるプログラムが保存される。ハードウェアは本発明の方法を実行できる構成と性能を有する。図１から図１４を参照して説明した本発明の着信端末の状態分析方法のプログラム（アプリケーション）は、プログラム言語で作成されてユーザ端末２００のハードウェアと結合して実行される。プロセッサ２１０はメモリ装置２２０等のハードウェアと結合してプログラムを駆動し、着信端末の状態分析方法を実行する。
【０１０４】
プログラムはプロセッサ２１０が次の通り動作するように実現される。
【０１０５】
プログラムは呼を発信し、本発明の着信端末の状態分析方法に基づいて状態案内音源を分析するように実現される。この時、プログラムは、着信端末と呼が接続される前までディスプレイ２４０またはスピーカ／マイク２６０を介して通話以外のアプリケーション（例えば、音楽再生、ナビゲ−ションの使用など）をまず実行するように実現される。これによって、ユーザは通話を繋げる前まで不要な通信事業者の案内音源や通話連結音を聴取しなくてもよい。ユーザが呼発信開始を画面に表示するか、或いはオーディオで知らせるかを設定情報に入力すると、ユーザ端末２００は指定された方法に応じてユーザに呼発信開始を知らせる。
【０１０６】
着信端末が応答した場合、プログラムは、ディスプレイ２４０またはスピーカ２６０を介してユーザに呼が接続されたことを知らせるように実現される。プログラムは呼が接続されると音楽再生、ナビゲ−ションの使用などの作業を中止し、通話モードに転換するように実現される。つまり、ユーザ端末２００は呼が接続される場合、音楽を再生するアプリケーションを終了し、スピーカおよびディスプレイのうち少なくとも一つに着信端末から受信したデータを出力するように実現される。
【０１０７】
一定時間の間（例えば、３０秒）着信端末が応答しない場合、プログラムはディスプレイ２４０またはスピーカ２６０を介してユーザに無応答状態であることを知らせるように実現される。
【０１０８】
プログラムは通信事業者が提供する着信端末の状態案内音源を分析し、着信端末が通話中／電源オフ／通話拒否／無応答／欠番／海外ローミングなどの状態である場合、通話試みを終了するように実現される。プログラムはユーザ設定により着信端末の状態情報をディスプレイ２４０またはスピーカ２６０を介して文字や声により表示して知らせるよう実現される。
【０１０９】
プログラムは、通話中／電源オフ／通話拒否／無応答／欠番／海外ローミングなどの着信端末の状態それぞれに設定された時間情報と多様な処理方式に基づいて、着信端末に呼を再発信したりメッセージを伝送するように実現され得る。例えば、着信端末の状態が通話中または無応答であると分析された場合、プログラムは設定された時間（例えば、１０分後）に呼を再発信するように実現され得る。着信端末の状態が電源オフ状態である場合、プログラムは、ＳＭＳ（文字メール）を送信して１時間後に呼を再発信するように実現され得る。着信端末の状態が通話拒否状態である場合、プログラムは再発信の代わりにＳＭＳを伝送するように実現され得る。
【０１１０】
このように、ユーザが本発明の着信端末の状態分析方法を適用したユーザ端末を用いる場合、着信端末との通話連結待機時間を減らすことができ、通話が繋がらず、無駄な消耗時間をなくことができる。また、ユーザ端末は単に電話機能だけのためのものでなく、多目的の機能を遂行する。したがって、ユーザはユーザ端末を使用してコンテントやアプリケーションを実行中の状態で呼接続を試みても、呼が接続される時まで実行中のコンテントやアプリケーションを終了する必要はない。特にユーザ端末は着信端末の状態を分析して着信端末の状態に合わせて再度呼を試みるか、ＳＭＳを送信することができ、ユーザの便宜性を高めることができる。
【０１１１】
以上で説明した本発明の実施形態は、装置および方法によってのみ実現されるものではなく、本発明の実施形態の構成に対応する機能を実現するプログラムまたはそのプログラムが記録された記録媒体を介して実現されることもできる。
【０１１２】
以上、本発明の実施形態について詳細に説明したが、本発明の権利範囲はこれに限定されるものではなく、次の特許請求の範囲で定義している本発明の基本概念を利用した当業者の様々な変形および改良形態または本発明の権利範囲に属するものである。
【図１】
0006461371.tif 000003
【図２】
0006461371.tif 000004
【図３】
0006461371.tif 000005
【図４】
0006461371.tif 000006
【図５】
0006461371.tif 000007
【図６】
0006461371.tif 000008
【図７】
0006461371.tif 000009
【図８】
0006461371.tif 000010
【図９】
0006461371.tif 000011
【図１０】
0006461371.tif 000012
【図１１】
0006461371.tif 000013
【図１２】
0006461371.tif 000014
【図１３】
0006461371.tif 000015
【図１４】
0006461371.tif 000016